(57)【要約】データカードは、カード本体に埋め込まれたデータ格納媒体を有している。カード本体は長さ及び幅の寸法がカード本体と実質的に同じフィルター層（５）を有している。フィルター層は、人間が知覚しうる電磁波を含む波長領域の電磁波に対しては実質的に透明であり、他の波長領域の電磁波に対しては実質的に不透明である。
2004502572.tif 000002
【特許請求の範囲】
【請求項１】
カード本体内に埋め込まれたデータ格納媒体を有するデータカードであって、前記カード本体は、長さ及び幅がカード本体と実質的に同寸法であるフィルター層（５）を有し、このフィルター層は人間の目で知覚される電磁波を含む波長領域の電磁波に対して実質的に透明であり、前記フィルター層は他の波長領域の電磁波に対して実質的に不透明であることを特徴とするデータカード。
【請求項２】
フィルター層（５）は、赤外線放射に関連する波長領域の電磁波に対して実質的に不透明であることを特徴とする請求項１に記載のデータカード。
【請求項３】
フィルター層（５）は、二つの反射防止用補助層（７）の間に挟まれた銀をベースとした補助層（６）を含むことを特徴とする請求項２に記載のデータカード。
【請求項４】
前記反射防止用補助層（７）は酸化チタンからなることを特徴とする請求項３に記載のデータカード。
【請求項５】
フィルター層（５）は１５０ｎｍと２５０ｎｍの間の厚さを有することを特徴とする請求項４に記載のデータカード。
【請求項６】
銀をベースとした補助層（６）は、５ｎｍと１５ｎｍの間の厚さを有することを特徴とする請求項３に記載のデータカード。
【発明の詳細な説明】
【０００１】
（発明の分野）
本発明はデータカード、すなわち磁気トラックや集積回路などを有するカードに関する。このようなデータカードは、たとえばクレジット・カードや電話カード、あるいは身分証明カードや入場カード等に用いられている。
【０００２】
（発明の背景）
データカードのカード本体は一般に、可視光の波長領域、すなわち大体４００ｎｍから８００ｎｍの波長領域の電磁波を通さない熱可塑性材料からなる。これらのカードはまた、磁気トラックや集積回路などのデータ格納媒体を有しており、ここにデータを記録し、また既知のリーダを用いてここからデータを読み出すことができる。
【０００３】
（発明の概要）
審美的に人に訴えるものであり、かつ、広範囲の応用分野に適用できるデータカードを提供することを目的とする。
【０００４】
このような目的のために、本発明は、請求項１で定義されるデータカードを提供する。
【０００５】
この発明は、人間の目によって透明と知覚されるデータカードを提供する。透明なデータカードは、審美性の観点において多くの顧客に訴えるだろう。したがってデータカードの透明さは、販売上の特徴となる。
【０００６】
しかしながらリーダは、接触によって機械的に、あるいはリーダからの光ビームがカードによって遮断されることによって光学的に、カードの存在を検出する。
【０００７】
透明材料で作られたカードは、通常はフィーラー・ピン（ｆｅｅｌｅｒ ｐｉｎ）によって機械的に検出されるのみである。したがって、これらのカードは、現状では光学的検出を行うリーダでは使うことができず、このためその用途は、機械検出タイプのリーダが設けられた小規模の適用分野のみに限定されている。
【０００８】
本発明によれば、カード本体は、長さと幅が実質的にカード本体と同寸法のフィルター層を有し、このフィルター層は人間の目で知覚できる電磁波の波長領領域に対して実質的に透明であり、その他の波長領域の電磁波に対しては実質的に不透明である。
【０００９】
したがって、本発明のデータカードは、適切な波長の電磁波を、そのような放射に対して不透明なカード本体に放射することによって、光学的に検出することができる。さらなる利点は、本発明のデータカードは、カードの存在を光学的に検出する非常に広範囲のリーダにおいて使用できることである。カードを検出するための光ビームの位置は、リーダごとに変えてもよい。本発明によれば、フィルター層は、その長さと幅がカード本体と実質的に同じ寸法を有している。その結果、本発明のカードは、使っているリーダの中の光ビームの位置に関係なく検出される。
【００１０】
フィルター層は、好ましくは、実質的に８００ｎｍから１０００ｎｍの波長範囲の電磁波に対して不透明とする。フィルター層には、好ましくは、少なくとも一つの銀をベースとする補助層（ｓｕｂ−ｌａｙｅｒ）と、可視領域の電磁波のための一つの反射防止用の補助層とを設ける。反射防止層は、酸化チタンから作るのが有利である。
【００１１】
本発明のその他の特徴及び利点は、本発明の非限定的な特定の実施例についての以下の説明から明らかとなろう。
【００１２】
（詳細な説明）
添付した唯一の図は本発明に基づいたカード本体の概略断面図を示しており、以下では、これを参照して説明する。
【００１３】
図に示すように、本発明に基づくカードは、符号１で示したカード本体を有しており、これは可視波長領域の電磁波に対して透明な材料から作られた複数の層を含んでいる。
【００１４】
すなわちカード本体１は、たとえばポリエチレン或いはポリ塩化ビニルからなるコア層２を含み、二つの対向する面２．１及び２．２を有している。
【００１５】
コア層２の面２．１の上には装飾層３が設けられ、これは保護コーティング４で覆われている。
【００１６】
装飾層３は、たとえばポリ塩化ビニル、アクリロニトリル‐ブタジエン‐スチレンあるいはポリカーボネートからなり、周知のオフセット印刷又はスクリーン印刷によって塗布される。
【００１７】
保護コーティング４は、たとえばオフセット印刷又はスクリーン印刷で樹脂ワニスを塗布することによって、あるいはポリ塩化ビニルのシートを積層することによって形成される。
【００１８】
コア層２の面２．２の上には、フィルター層５が設けられる。この層は、可視領域以外の波長の電磁波、具体的には近赤外領域、すなわち約８００ｎｍから１０００ｎｍまでの間の波長範囲の電磁波に対して不透明である。フィルター層５は、長さ及び幅がカード本体と同じ寸法を有している。すなわち、フィルター層は、カード本体の主面の寸法と実質的に一致した寸法の主面を有している。
【００１９】
フィルター層５は、可視電磁波のための二つの反射防止補助層７の間に設けられた銀をベースとした補助層６を有している。ここで、各反射防止補助層は酸化チタンからなるが、反射防止補助層は、他の種類の金属酸化物によって形成することもできる。フィルター層５は、コア層２の上に多くの補助層６，７を一つ一つコールド・スパッタリング（ｃｏｌｄ ｓｐｕｔｔｅｒｉｎｇ）することによって真空堆積される。フィルター層５の厚さは１００ｎｍのオーダーであり、銀をベースとした補助層６の厚さは１０ｎｍのオーダーである。各補助層の厚さは、フィルター層として可視領域の電磁波に対して最小５０〜６０％あるいは７０％のオーダーの透過率を与え、かつ近赤外領域の電磁波に対して最大１０％の透過率を与えるよう、これらの厚さを調整することが望ましい。
【００２０】
装飾層８は、接着層９によって、フィルター層５に付着される。装飾層８は、装飾層３と同じ材料、同じ方法で作られる。接着層９は、コア層２に比べて接着特性が悪いフィルター層５に対する装飾層８の付着力を改善する。
【００２１】
装飾層８は、保護コーティング４と同じ材料、同じ方法で作られる保護コーティング１０によって覆われる。
【００２２】
もちろん、本発明は上で述べた実施例に限定されるものではなく、特許請求の範囲の記載によって定義される本発明の範囲に含まれる種々の変形例が可能である。
【００２３】
特に、銀をベースとする補助層及び反射防止用の補助層の数は、電磁波を透過するとういフィルター層の特性を上げたり下げたりするために変えることができる。一般にフィルター層は、Ｎ層の銀をベースとした補助層とＮ＋１層の反射防止用の補助層からなり、ここでＮはゼロよりも大きい整数である（Ｎ＝１，２，３，４，…）。
【００２４】
さらに、フィルター層の補助層を作るために、他の材料を用いることができる。このような材料の選択は、特に、所望の電磁波の透過特性、フィルター層５が不透明となるべき波長領域に依存する。このような観点から、カード本体は、紫外領域、遠赤外領域等の電磁波に対して不透明なフィルター層を含んでいてもよい。その他の関連する側面は、フィルター層を構成するため種々の材料の、お互いの層の間での、そしてカード本体内の隣接する層との間での接合特性である。
【００２５】
フィルター層は、人間の視力の波長範囲（４００ｎｍと８００ｎｍの間）の一部のみをカバーする波長領域における電磁波に対して透明であってもよい。たとえばフィルター層は、４００ｎｍと６００ｎｍの間の領域の電磁波を通すものであってもよく、その場合は、その透明度はある色を持つ。フィルター層は、たとえば７００ｎｍと９００ｎｍの間の領域の電磁波を遮断するものでもよく、その場合は、人間の目で知覚できる７５０ｎｍの波長を有する電磁波を、カードの存在を光学的に検出するのに用いることができる。
【００２６】
最後に、フィルター層がカード本体そのものであってもよい（単一層構造）。フィルター層以外の層（もしあれば）は、上で述べた実施例で用いた材料とは異なる材料で作ることができる。重要なことは、これらの層が、何らかの色を有したり有さなかったりする透明のように、人間の目で知覚できるようにある程度透明であるということである。
【図面の簡単な説明】
【図１】
本発明の実施の一形態に係るカード本体の概略断面図である。
【国際公開パンフレット】
2004502572.tif 000003
2004502572.tif 000004
2004502572.tif 000005
2004502572.tif 000006
2004502572.tif 000007
2004502572.tif 000008
2004502572.tif 000009
2004502572.tif 000010
2004502572.tif 000011
2004502572.tif 000012
【国際調査報告】
2004502572.tif 000013
2004502572.tif 000014